(57)【要約】【課題】  ＣＣＤ型固体撮像素子において、信号電荷の垂直転送時における混色を回避する。【解決手段】  半導体基板表面部に二次元アレイ状に配列形成された複数の画素１０１と、複数の画素１０１の各々の上に１色づつ配置され全体としてモザイク状に配列された複数色でなるカラーフィルタ（Ｒ，Ｇ，Ｂ）と、画素１０１で構成されるいずれか２列の画素列の間に１本づつ形成され各々が前記複数色のうちのいずれか１色の信号電荷だけを転送する複数の垂直電荷転送路１０２〜１０９と、該垂直電荷転送路と該垂直電荷転送路の両脇に並ぶ画素とを接続する読出電極部１１７であって該垂直電荷転送路が転送する前記１色と同色のカラーフィルタが設けられた画素１０１と該垂直電荷転送路との間にのみ設けられる読出電極部１１７とを備える。【選択図】図２
2011061684.tif 000002
【特許請求の範囲】
【請求項１】
半導体基板表面部に二次元アレイ状に配列形成された複数の画素と、前記複数の画素の各々の上に１色づつ配置され全体としてモザイク状に配列された複数色でなるカラーフィルタと、前記画素で構成されるいずれか２列の画素列の間に１本づつ形成され各々が前記複数色のうちのいずれか１色の信号電荷だけを転送する複数の垂直電荷転送路と、該垂直電荷転送路と該垂直電荷転送路の両脇に並ぶ画素とを接続する読出電極部であって該垂直電荷転送路が転送する前記１色と同色のカラーフィルタが設けられた前記画素と該垂直電荷転送路との間にのみ設けられる読出電極部とを備える固体撮像素子。
【請求項２】
請求項１に記載の固体撮像素子であって、前記複数の垂直電荷転送路の転送方向端部に沿って設けられる水平電荷転送路と前記垂直電荷転送路との間に設けられ、前記各垂直電荷転送路によって転送されてきた信号電荷を一時保持するバッファ領域を各垂直電荷転送路対応に有するラインメモリを備える固体撮像素子。
【請求項３】
請求項１又は請求項２に記載の固体撮像素子であって、前記複数の画素は、前記半導体基板表面部に二次元アレイ状に配列形成された複数の画素でなる第１画素群と、該第１画素群に重なる領域の前記半導体基板表面部に二次元アレイ状に配列形成された複数の画素で構成され該第１画素群の各々の画素に対してずれた位置に画素を有する第２画素群とに分けられ、前記第１画素群が検出した信号電荷と前記第２画素群が検出した信号電荷とを別々に前記垂直電荷転送路に読み出す電極配線構造が設けられる固体撮像素子。
【請求項４】
請求項３に記載の固体撮像素子であって、前記第１画素群に設けられる前記カラーフィルタの配列と、前記第２画素群に設けられる前記カラーフィルタの配列が同一である固体撮像素子。
【請求項５】
請求項３又は請求項４に記載の固体撮像素子であって、前記第１画素群は前記画素が正方格子配列されて該正方格子配列上に前記カラーフィルタがベイヤ配列され、該第１画素群と垂直方向，水平方向ともに１／２画素ピッチだけずらして設けられた前記第２画素群にも前記カラーフィルタがベイヤ配列される固体撮像素子。
【請求項６】
請求項３乃至請求項５のいずれかに記載の固体撮像素子の駆動方法であって、前記第１画素群と前記第２画素群の夫々の露光時間を別々に制御する固体撮像素子の駆動方法。
【請求項７】
請求項６に記載の固体撮像素子の駆動方法であって、電子シャッタパルス印加停止時点を露光開始時点とし、前記第１画素群と前記第２画素群のそれぞれの信号読出タイミングを変えることで露光終了時点を別々に制御する固体撮像素子の駆動方法。
【請求項８】
請求項３乃至請求項５のいずれかに記載の固体撮像素子の駆動方法であって、前記第１画素群の各画素が検出した信号を第１フィールドで読み出し、前記第２画素群の各画素が検出した信号を第２フィールドで読み出す固体撮像素子の駆動方法。
【請求項９】
請求項３乃至請求項５のいずれかに記載の固体撮像素子の駆動方法であって、前記第１画素群，第２画素群のいずれか一方の画素群の各画素が検出した信号だけを読み出し他方の画素群の各画素が検出した信号は廃棄する固体撮像素子の駆動方法。
【請求項１０】
請求項３乃至請求項５のいずれかに記載の固体撮像素子の駆動方法であって、前記第１画素群，第２画素群のいずれか一方の画素群の各画素が検出した信号を読み出した後に他方の画素群の各画素が検出した信号を読み出す固体撮像素子の駆動方法。
【請求項１１】
請求項１又は請求項２に記載の固体撮像素子を搭載した撮像装置。
【請求項１２】
請求項３乃至請求項５のいずれかに記載の固体撮像素子と、請求項６乃至請求項１０のいずれかに記載の固体撮像素子の駆動方法を実行する制御手段とを備える撮像装置。
【請求項１３】
請求項３乃至請求項５のいずれかに記載の固体撮像素子と、請求項６又は請求項７に記載の固体撮像素子の駆動方法を実行する制御手段と、前記固体撮像素子の前記第１画素群，第２画素群から読み出された露光時間の異なる信号を合成して広ダイナミックレンジの撮像画像を合成する信号処理手段とを備える撮像装置。
【発明の詳細な説明】
【技術分野】
【０００１】
本発明は、ＣＣＤ型の固体撮像素子及びその駆動方法並びに撮像装置に関する。
【背景技術】
【０００２】
カラー画像撮影用の固体撮像素子は、半導体基板表面部に二次元アレイ状に配列形成された複数の受光素子（画素）にカラーフィルタを積層し、このカラーフィルタを透過した光の受光量を各画素が検出する様になっている。
【０００３】
単板式の固体撮像素子で、例えば原色系カラーフィルタを搭載する場合、二次元アレイ状に配列された各画素にＲ（赤），Ｇ（緑），Ｂ（青）のいずれか１色のカラーフィルタを積層することになる。
【０００４】
Ｒフィルタを搭載した画素（Ｒ画素）は、赤色光の受光量に応じた色信号しか検出しないため、この画素位置におけるＧ光の色信号については、周りのＧ画素の検出信号を補間演算して求め、Ｂ光の色信号については、周りのＢ画素の検出信号を補間演算して求めることになる。
【０００５】
単板式の固体撮像素子に積層するカラーフィルタの色配列については、種々の配列が用いられている。例えば下記の特許文献１，２に記載の固体撮像素子では、縦ストライプというカラーフィルタ配列が用いられている。縦ストライプとは、二次元アレイ状に配列された各画素の縦１列の画素に同一色のカラーフィルタ（例えばＲ）を積層し、次の１列の画素に同一色のＧフィルタを積層し、次の１列の画素に同一色のＢフィルタを積層し、を繰り返し、行方向に、ＲＧＢＲＧＢ…と並ぶカラーフィルタ配列である。
【０００６】
この縦ストライプのカラーフィルタ配列は、列方向で見れば列方向の各画素が同一色の色信号を検出するため、この色の解像度は高くなるが、行方向（横方向）でみると、この色は３画素に１画素が検出することになり、解像度が劣化してしまうという問題がある。
【０００７】
別のカラーフィルタ配列として、例えば下記の特許文献３に記載の固体撮像素子で用いられているベイヤ配列がある。ベイヤ配列とは、ＲＧＢ３色を二次元面上でモザイク状に配列したものであり、行方向にＲＧＲＧＲＧ…と配列する画素行と、ＧＢＧＢＧＢ…と配列する画素行とを交互に設けるカラーフィルタ配列である。
【０００８】
他のカラーフィルタ配列として、下記の特許文献４に記載の固体撮像素子に適用されたものがある。この固体撮像素子は、所謂ハニカム画素配列となっており、奇数行の画素行が偶数行の画素行に対して１／２画素ピッチずらして形成されており、奇数行の画素行に横ストライプのＧフィルタを積層し、偶数行の画素行に、ＲＢＲＢＲＢ…という順番のカラーフィルタ行と、ＢＲＢＲＢＲ…という順番のカラーフィルタ行とを交互に設けている。このカラーフィルタ配列は、ＲとＢについてはモザイク状になっている。
【０００９】
更に別のカラーフィルタ配列として、下記の特許文献５，６に記載の固体撮像素子に適用されたものがある。この固体撮像素子も所謂ハニカム画素配列となっているが、奇数行の画素だけ見ると、各画素は正方格子状に配列されており、これにベイヤ配列のカラーフィルタを積層する。また、偶数行の画素だけ見ても各画素は正方格子状に配列されており、これにベイヤ配列のカラーフィルタを積層する。
【００１０】
全体としてみると、斜めラインの１ラインおきに斜めＧストライプのカラーフィルタが積層され、残りのラインが、ＲＲＢＢＲＲ…となるラインと、ＢＢＲＲＢＢ…となるラインとが交互に配列され、ＲとＢについてはモザイク状になっている。
【先行技術文献】
【特許文献】
【００１１】
【特許文献１】特開平９―５５８９２号公報
【特許文献２】特開２０００―１２５３１０号公報
【特許文献３】特開２０００―５０２９０号公報
【特許文献４】特開２００１―３５２５５４号公報
【特許文献５】特開２００４―５５７８６号公報
【特許文献６】特開２００９―６０３４２号公報
【発明の概要】
【発明が解決しようとする課題】
【００１２】
カラー画像撮像用の単板式固体撮像素子に適用されるカラーフィルタ配列には様々なものがある。しかし、縦ストライプ（横ストライプも同様）は解像度が行（水平）方向と列（垂直）方向で差がありすぎるため、現在ではモザイク状のカラーフィルタ配列が主流になっている。
【００１３】
しかし、モザイク状のカラーフィルタ配列でも、近年の多画素化が進展したＣＣＤ型固体撮像素子に適用すると、問題が生じてしまう。それは、近年の固体撮像素子が１千万画素以上を搭載する関係で、１画素１画素が微細となりその飽和電荷量が小さくなってきているためである。
【００１４】
ＣＣＤ型固体撮像素子では、列方向に並ぶ画素が検出した信号電荷を、この画素列に沿って設けられた垂直電荷転送路に読み出して転送することになるが、転送効率１００％は物理的に不可能なため、転送残りが必ず生じてしまい、後から転送されてきた信号電荷と、前に転送した信号電荷の転送残り電荷とが混合してしまうことになる。
【００１５】
モザイク状のカラーフィルタ配列にしたＣＣＤ型固体撮像素子では、異なる色の信号電荷を同じ垂直電荷転送路で転送することになり、転送残り電荷が、後から転送されてきた信号電荷に混合すると、混色が発生してしまう。この混色は、１画素１画素の飽和電荷量が大きく、信号電荷量が大きければ問題とはならないが、１画素１画素が微細で信号電荷量が少ないと、問題となり、画質を劣化させてしまう。
【００１６】
本発明の目的は、モザイク状のカラーフィルタ配列を採用しても、混色を生じさせることがないＣＣＤ型の固体撮像素子とその駆動方法並びに撮像装置を提供することにある。
【課題を解決するための手段】
【００１７】
本発明の固体撮像素子は、半導体基板表面部に二次元アレイ状に配列形成された複数の画素と、前記複数の画素の各々の上に１色づつ配置され全体としてモザイク状に配列された複数色でなるカラーフィルタと、前記画素で構成されるいずれか２列の画素列の間に１本づつ形成され各々が前記複数色のうちのいずれか１色の信号電荷だけを転送する複数の垂直電荷転送路と、該垂直電荷転送路と該垂直電荷転送路の両脇に並ぶ画素とを接続する読出電極部であって該垂直電荷転送路が転送する前記１色と同色のカラーフィルタが設けられた前記画素と該垂直電荷転送路との間にのみ設けられる読出電極部とを備えることを特徴とする。
【００１８】
本発明の固体撮像素子の前記複数の画素は、前記半導体基板表面部に二次元アレイ状に配列形成された複数の画素でなる第１画素群と、該第１画素群に重なる領域の前記半導体基板表面部に二次元アレイ状に配列形成された複数の画素で構成され該第１画素群の各々の画素に対してずれた位置に画素を有する第２画素群とに分けられ、前記第１画素群が検出した信号電荷と前記第２画素群が検出した信号電荷とを別々に前記垂直電荷転送路に読み出す電極配線構造が設けられることを特徴とする。
【００１９】
本発明の固体撮像素子の駆動方法は、前記第１画素群と前記第２画素群の夫々の露光時間を別々に制御することを特徴とする。
【００２０】
本発明の撮像装置は、上記記載の固体撮像素子を搭載したことを特徴とする。
【発明の効果】
【００２１】
本発明によれば、１本の垂直電荷転送路には同一色の信号電荷しか転送されない物理的構造を備えるため、画素が微細化されたＣＣＤ型固体撮像素子でも混色による画質劣化が抑制され、高品質な被写体のカラー画像を撮像することが可能となる。
【図面の簡単な説明】
【００２２】
【図１】本発明の一実施形態に係る撮像装置のブロック構成図である。
【図２】図１に示すＣＣＤ型固体撮像素子の表面模式図である。
【図３】図２に示すＣＣＤ型固体撮像素子の駆動方法の一例を示すタイミングチャートである。
【図４】図３で説明した駆動方法による信号電荷の読出／転送の様子を示す図である。
【図５】図４に続く信号電荷の読出／転送の様子を示す図である。
【図６】図５に続く信号電荷の読出／転送の様子を示す図である。
【図７】図２に示すＣＣＤ型固体撮像素子の画素加算読出の様子を示す図である。
【図８】図２に替わる別実施形態に係るＣＣＤ型固体撮像素子の表面模式図である。
【図９】図８に示すラインメモリでの画素加算の様子を示す説明図である。
【図１０】図８に示すラインメモリと水平電荷転送路を用いた画素加算の手順を示す説明図である。
【図１１】図２，図８に示すＣＣＤ型固体撮像素子の信号出力の一例を示す駆動タイミングチャートである。
【図１２】静止画像撮像後にユーザが画像確認を行うプレビュー表示を行う手順を示すフローチャートである。
【図１３】従来のＣＣＤ型固体撮像素子の表面模式図（ａ）と駆動タイミングチャート（ｂ）である。
【図１４】本発明の別実施形態に係る駆動タイミングチャート（ａ）と、比較のための従来の駆動タイミングチャート（ｂ）である。
【図１５】本発明の別実施形態に係る動画撮影時の駆動タイミングチャート（ａ）と、比較のための従来の駆動タイミングチャート（ｂ）である。
【図１６】本発明の別実施形態に係るＣＣＤ型固体撮像素子の表面模式図である。
【発明を実施するための形態】
【００２３】
以下、本発明の一実施形態について、図面を参照して説明する。
【００２４】
図１は、本発明の一実施形態に係るデジタルカメラの機能ブロック図である。このデジタルカメラは、撮像部２１と、撮像部２１から出力されるアナログの画像データを自動利得調整（ＡＧＣ）や相関二重サンプリング処理（ＣＤＳ）等のアナログ処理するアナログ信号処理部２２と、アナログ信号処理部２２から出力されるアナログ画像データをデジタル画像データに変換するアナログデジタル変換部（Ａ／Ｄ）２３と、後述のシステム制御部（ＣＰＵ）２９からの指示によってＡ／Ｄ２３，アナログ信号処理部２２，撮像部２１の駆動制御を行う駆動部（タイミングジェネレータＴＧを含む）２４と、ＣＰＵ２９からの指示によって発光するフラッシュ２５とを備える。
【００２５】
撮像部２１は、被写界からの光を集光する光学レンズ系２１ａと、該光学レンズ系２１ａを通った光を絞る絞りや静止画像撮像時に用いるメカニカルシャッタ２１ｂと、光学レンズ系２１ａによって集光され絞りによって絞られた光を受光し撮像画像データ（アナログ画像データ）を出力する単板式カラー画像撮像用のＣＣＤ型固体撮像素子１００とを備える。
【００２６】
本実施形態のデジタルカメラは更に、Ａ／Ｄ２３から出力されるデジタル画像データを取り込み補間処理やホワイトバランス補正，ＲＧＢ／ＹＣ変換処理，後述する第１画素群，第２画素群の各検出信号の合成処理等を行うデジタル信号処理部２６と、画像データをＪＰＥＧ形式などの画像データに圧縮したり逆に伸長したりする圧縮／伸長処理部２７と、メニューなどを表示したりスルー画像や撮像画像を表示する表示部２８と、デジタルカメラ全体を統括制御するシステム制御部（ＣＰＵ）２９と、フレームメモリ等の内部メモリ３０と、ＪＰＥＧ画像データ等を格納する記録メディア３２との間のインタフェース処理を行うメディアインタフェース（Ｉ／Ｆ）部３１と、これらを相互に接続するバス４０とを備え、また、システム制御部２９には、ユーザからの指示入力を行う操作部３３が接続されている。
【００２７】
ユーザ操作部３３は、撮影モードを静止画像撮影モードとするか動画像撮影モードとするかや、高精細画像撮影モード，高感度撮影モード，広ダイナミックレンジ撮影モードなどを選択する指示スイッチや、ダイナミックレンジのレンジ幅指示ボタン、シャッタレリーズボタン等を備える。ＣＰＵ２９は、ユーザ操作部３３からの入力内容に従って固体撮像素子１００の駆動制御を撮像素子駆動部２４を介して行う。
【００２８】
図２は、固体撮像素子１００の表面模式図である。本実施形態のデジタルカメラでは、固体撮像素子１００として、画素が市松状に配列された所謂ハニカム画素配列のＣＣＤ型固体撮像素子を用いている。
【００２９】
半導体基板の表面部には複数の光電変換素子（フォトダイオードＰＤ：以下、画素という。）１０１が二次元アレイ状に配列形成されている。そして、奇数行の画素行に対して偶数行の画素行が１／２画素ピッチづつずらして形成されている。
【００３０】
偶数行（又は奇数行）の画素（これを、以下、第１画素群という。）だけを見てみれば、各画素（光電変換素子）は正方格子配列されており、この正方格子配列に対して、原色系のカラーフィルタ（Ｒ１＝赤，Ｇｂ１，Ｇｒ１＝緑，Ｂ１＝青）がベイヤ配列されている。また、奇数行（又は偶数行）の画素（これを、以下、第２画素群という。）だけ見れば、各画素は正方格子配列されており、この正方格子配列に対して、カラーフィルタ（Ｒ２＝赤，Ｇｂ２，Ｇｒ２＝緑，Ｂ２＝青）がベイヤ配列されている。
【００３１】
図２には、カラーフィルタとして、Ｒ１，Ｒ２，Ｂ１，Ｂ２，Ｇｂ１，Ｇｂ２，Ｇｒ１，Ｇｒ２と記載しているが、最後の数字「１」「２」は第１画素群に属する画素であるか、第２画素群に属する画素であるかを示している。
【００３２】
また、Ｇｂ１はＢ１と同一画素行のＧフィルタを搭載したＧ画素、Ｇｂ２はＢ２と同一画素行のＧフィルタを搭載したＧ画素、Ｇｒ１はＲ１と同一画素行のＧフィルタを搭載したＧ画素、Ｇｒ２はＲ２と同一画素行のＧフィルタを搭載したＧ画素を示している。この結果、本実施形態のカラーフィルタ配列は、垂直方向，水平方向共に、隣接する画素が１画素毎に異なる色となり、かつ一定周期で同じ色の画素が来ることになる。
【００３３】
市松配列された各画素１０１の蛇行する画素列に沿って垂直方向（縦方向）に垂直電荷転送路（ＶＣＣＤ）…，１０２，１０３，１０４，１０５，１０６，１０７，１０８，１０９，…の埋め込みチャネル（図２では、垂直電荷転送路１０２，１０４，１０７，１０９にだけ、点線で図示）が蛇行して形成され、その上（半導体基板表面上）に、図示しないゲート絶縁膜を介して水平方向に延びる垂直転送電極膜１１１が蛇行して形成され、埋め込みチャネル，ゲート絶縁膜，垂直転送電極膜で垂直電荷転送路（ＶＣＣＤ）が形成される。垂直転送電極膜１１１は、斜め方向に隣接する画素１０１間に２枚設けられ、１画素１０１に隣接する垂直転送電極膜１１１は、上下２枚となる。
【００３４】
各垂直電荷転送路１０２〜１０９の転送方向端部に沿って水平電荷転送路（ＨＣＣＤ）１１２が設けられ、水平電荷転送路１１２の出力端部に、転送されてきた信号電荷の電荷量に応じた電圧値信号を撮像画像信号として出力するアンプ１１３が設けられている。
【００３５】
本実施形態の特徴は、各画素１０１の垂直転送電極兼用の読出電極を設ける方向にあり、図２に示す様に、各画素１０１から出る矢印が、一方向に揃っていないことを特徴とする。即ち、本実施形態では、各垂直電荷転送路１０２〜１０９を、それぞれ、特定色の信号電荷転送専用の転送路とするように、読出電極部１１７を設ける方向を定めている。
【００３６】
垂直電荷転送路１０２は、Ｒ色専用の信号電荷転送路となっており、垂直電荷転送路１０２を挟む両脇の画素のうち、Ｒフィルタを搭載した画素１０１の読出電極を垂直電荷転送路１０２側に設け、それ以外の画素の読出電極部１１７は垂直電荷転送路１０２とは反対側に設けている。
【００３７】
即ち、本実施形態の固体撮像素子１００では、Ｒ色専用の信号電荷転送路にはＲ画素しか接続されず、Ｇ画素，Ｂ画素についてはＲ色専用の信号電荷転送路に物理的構造によって非接続となる構成にしている。以下に述べる他色専用の信号電荷転送路も同様である。
【００３８】
垂直電荷転送路１０２に隣接する垂直電荷転送路１０３は、Ｇ色専用の信号電荷転送路となっており、垂直電荷転送路１０３を挟む両脇の画素のうち、Ｇフィルタを搭載した画素１０１の読出電極部１１７を垂直電荷転送路１０３側に設け、それ以外の画素の読出電極部１１７は垂直電荷転送路１０３とは反対側に設けている。
【００３９】
垂直電荷転送路１０３に隣接する垂直電荷転送路１０４は、Ｂ色専用の信号電荷転送路となっており、垂直電荷転送路１０４を挟む両脇の画素のうち、Ｂフィルタを搭載した画素１０１の読出電極部１１７を垂直電荷転送路１０４側に設け、それ以外の画素の読出電極部１１７を、垂直電荷転送路１０４とは反対側に設けている。
【００４０】
垂直電荷転送路１０４に隣接する垂直電荷転送路１０５は、Ｇ色専用の信号電荷転送路となっており、垂直電荷転送路１０５を挟む両脇の画素のうち、Ｇフィルタを搭載した画素１０１の読出電極部１１７を垂直電荷転送路１０５側に設け、それ以外の画素の読出電極部１１７を、垂直電荷転送路１０５反対側に設けている。
【００４１】
即ち、本実施形態の固体撮像素子１００では、垂直電荷転送路が、Ｒ専用，Ｇ専用，Ｂ専用，Ｇ専用，Ｒ専用，Ｇ専用，…と（ＲＧＢＧ）の巡回的な並びで、１本おきにＧ専用、残りの１本おきがＲ専用とＢ専用で交番的になっており、カラーフィルタ配列は、３色のうち少なくとも２色の部分が細かく周期的かつ離散位置に配置されるモザイク模様状になっているのに対し、各垂直電荷転送路には１色の信号電荷しか転送されない配列を採用している。例えばＲ専用の垂直電荷転送路には、左側の画素列中のＲ画素（Ｒフィルタを搭載した画素１０１）と、右側の画素列中のＲ画素とが同数だけ、交互に接続される。
【００４２】
図２に示す固体撮像素子１００の水平方向に延び垂直方向に並ぶ各垂直転送電極には、上から順に、電極Ｖ１，Ｖ８，Ｖ７，Ｖ６，Ｖ５，Ｖ４，Ｖ３，Ｖ２，Ｖ１，Ｖ８，…が接続されており、このうち、最上段に図示した画素行（Ｇｂ２，Ｂ２，Ｇｂ２，Ｂ２，…）の読出電極部１１７には電極Ｖ７が接続され、２段目の画素行（Ｇｂ１，Ｂ１，Ｇｂ１，Ｂ１，…）の読出電極部１１７には電極Ｖ５が接続され、３段目の画素行（Ｒ２，Ｇｒ２，Ｒ２，Ｇｒ２，…）の読出電極部１１７には電極Ｖ３が接続され、４段目の画素行（Ｒ１，Ｇｒ１，Ｒ１，Ｇｒ，…）の読出電極部１１７には電極Ｖ１が接続される、という配線接続が繰り返されている。
【００４３】
この様に、本実施形態の固体撮像素子を採用した撮像装置では、どの様な信号読出方法を行っても、即ち、全画素読出であるか否かに関わらず、如何なる間引読出であるか否かに関わらず、垂直電荷転送路上での混色が発生しない構成にしている。
【００４４】
なお、「垂直」「水平」という用語を用いて説明しているが、これは、半導体基板表面に沿う「１方向」とこの１方向に対して「略直角の方向」という意味にすぎない。
【００４５】
図３は、図２に示す固体撮像素子の駆動タイミングの一例を示すタイミングチャートであり、広ダイナミックレンジ撮影モード時の駆動タイミングを示す。先ず、時刻ｔ０まで電子シャッタ（ＯＦＤ）パルスが印加されて各画素１０１内の不要電荷が半導体基板側に廃棄され、電子シャッタパルスａ１の印加停止時点ｔ０から各画素１０１は露光を開始する。
【００４６】
次の時刻ｔ１（露光中）を過ぎて時刻ｔ２になると、電極Ｖ５，Ｖ１に読出パルスを印加し、第１画素群の蓄積電荷を垂直電荷転送路に読み出し、この状態で待機する。第１画素群から読み出され垂直電荷転送路上に保持された信号電荷は、露光時間ｔ０〜ｔ２の信号電荷である。
【００４７】
このまま時刻ｔ３（露光中）を過ぎて時刻ｔ４になると、今度は電極Ｖ７，Ｖ３に読出パルスを印加し、第２画素群の蓄積電荷を垂直電荷転送路に読み出す。この第２画素群から垂直電荷転送路上に読み出された信号電荷は、露光時間ｔ０〜ｔ４の信号電荷である。
【００４８】
以下、垂直電荷転送路上の各信号電荷を、垂直電荷転送路に沿って転送し、水平電荷転送路に沿って転送することで、撮像画像信号が固体撮像素子１００から出力される。第１画素群の短時間露光（ｔ０〜ｔ２）による撮像画像信号と、第２画素群の長時間露光（ｔ０〜ｔ４）による撮像画像信号とを合成することで、広ダイナミックレンジの被写体画像を得ることができる。
【００４９】
短時間露光の撮像画像信号と、長時間露光の撮像画像信号とを出力した後、再び電子シャッタパルスａ２を印加することで、第１画素群に時刻ｔ２以降蓄積された不要電荷が、第１画素群の不要電荷と共に半導体基板側に廃棄され、電子シャッタパルス印加停止時点から、再び、露光が開始される。
【００５０】
上述した実施形態では、第１画素群と第２画素群の露光時間を違えた例であるが、勿論、第１画素群と第２画素群の露光時間を同じにし、各画素の信号電荷を個別に出力して撮像画像信号とすることで、高精細な被写体画像を得ることができる。また、高精細な被写体画像ではなく、第１画素群と第２画素群の斜め方向に隣接する同色の信号（同じ垂直電荷転送路上に読み出される。）を加算することで、高感度な被写体画像を得ることも可能となる。
【００５１】
図４は、図３で説明した駆動タイミングに従って信号電荷が垂直電荷転送路上で動く様子を示す図である。なお、「斜線」を施した部分に信号電荷があるものとする。
【００５２】
先ず、時刻ｔ０で不要電荷が半導体基板側に廃棄されて各画素が空となり、露光が進んだ時刻ｔ１では各画素内に信号電荷が蓄積される。図３で説明した時刻ｔ２では、電極Ｖ５，Ｖ１に読出パルスを印加するが、垂直転送の都合で、電極Ｖ５と電極Ｖ１に読出パルスを印加する時間に若干のずれを設けている。時刻ｔ４で電極Ｖ７，Ｖ３に印加する読出パルスも同様である。
【００５３】
次の時刻ｔ２―１では、電極Ｖ５に読出パルスを印加すると、時刻ｔ２―２に示す様に、電極Ｖ５を読出電極とする画素から信号電荷が垂直電荷転送路上に読み出される。図示する例では、３垂直転送電極分の電位パケット内に信号電荷が読み出される。
【００５４】
図５の次の時刻ｔ２―３では、垂直電荷転送路上の信号電荷を垂直方向に４転送電極分だけ転送させ、そして、電極Ｖ１に読出パルスを印加する。これにより、時刻ｔ２―４に示す様に、第１画素群の信号電荷が同一行に読み出され、時刻ｔ４までこの状態で待機される。
【００５５】
長時間露光が終了し時刻ｔ４―１で電極Ｖ７に読出パルスを印加すると、時刻ｔ４―２に示す様に、信号電荷が垂直電荷転送路上に読み出される。そして、図６の時刻ｔ４―３に示す様に、垂直電荷転送路を４転送電極分だけ転送して電極Ｖ３に読出パルスを印加すると、時刻ｔ４―４に示す様に、全画素の信号電荷が全て垂直電荷転送路上に個別に読み出されたことになる。しかも、電極Ｖ５，Ｖ１に印加する読出パルスを若干ずらし、電極Ｖ７，Ｖ３に印加する読出パルスを若干ずらしたことで、第１画素群の信号電荷が横一行に並び、第２画素群の信号電荷も横一行に並ぶことになる。
【００５６】
以後、垂直転送，水平転送を繰り返すことになるが、本実施形態の固体撮像素子１００の場合、同一垂直電荷転送路上に並ぶ信号電荷は、全て同一色の信号電荷であるため、混色の虞は生じない。
【００５７】
この様にして、本実施形態では、全画素の各撮像画像信号が個別に固体撮像素子１００から出力され、デジタル信号処理部２６で短時間露光の撮像画像信号と、長時間露光の撮像画像信号とが所定の加算式に基づき加算処理される。
【００５８】
図４〜図６で説明した駆動方法は、各画素の撮像画像信号を個別に固体撮像素子１００から出力させ、デジタル信号処理部２６で加算処理する方法であったが、垂直電荷転送路上で、長時間露光の信号電荷と、これと同色の短時間露光の信号電荷とを画素加算することもできる。
【００５９】
図７は、垂直電荷転送路上で同色信号電荷の画素加算を行う場合の説明図である。先ず、図３の時刻ｔ２で電極Ｖ５，Ｖ１に読出パルスを印加し、短時間露光の第１画素群の各画素が検出した信号電荷を垂直電荷転送路に読み出す。図４で説明した場合には、電極Ｖ５，Ｖ１に印加する読出パルス間に若干の時間差を設けたが、この実施形態では同時でよい。
【００６０】
図７の時刻ｔ２―１は、電極Ｖ５，Ｖ１に読出パルスを印加した時の読出方向を示す図である。次の時刻ｔ２―２で各信号電荷はそれぞれ垂直電荷転送路上に読み出され、第１画素群２行とこれと重なる第２画素群２行の各画素行に隣接する計７転送電極分の電位パケット内に保持される。この状態で、長時間露光終了時刻ｔ４が来るのを待機する。
【００６１】
長時間露光ｔ４後の時刻ｔ４―１では、第２画素群の読出電極Ｖ７，Ｖ３に同時に読出パルスが印加され、第１画素群の短時間露光による信号電荷を収納した７転送電極分の電位パケット内に、第２画素群の長時間露光による同色の信号電荷が読み出され、加算される。
【００６２】
図７では、短時間露光の第１画素群と、長時間露光の第２画素群の各信号電荷を、垂直電荷転送路上で画素加算する例について述べたが、勿論、第１画素群と第２画素群との露光時間を同時間とした場合にも図７の駆動を適用できることはいうまでもない。動画像を固体撮像素子１００から出力させる場合、同一露光時間の第１画素群と第２画素群の信号電荷を垂直電荷転送路上で画素加算し出力することで、高フレームレートでの撮像画像の出力が可能になる。
【００６３】
また、図７では、画素加算について述べたが、例えば第１画素群だけの信号電荷を読み出し、第２画素群の信号電荷は廃棄してしまう駆動もできる。動画像を撮影する場合に、フレームレートを稼ぐために、第１画素群，第２画素群の一方のみを利用して動画像を撮影することも可能である。この場合、本実施形態の固体撮像素子では、第１画素群（又は第２画素群）の信号電荷の読み出しだけで、ＲＧＢの３色の撮像画像信号が揃うため、カラー画像生成が可能となる。
【００６４】
近年のＣＣＤ型固体撮像素子は、１千万画素以上を搭載している関係で、なるべくチップ上の１つの画素１０１の受光面積を広くとるために垂直電荷転送路が狭くなっており、多フィールド読み出しが一般的になっている。このため、高フレームレートの動画像を得るには、画素間引きして動画像を固体撮像素子から読み出す様にしている。
【００６５】
このような多フィールド読み出しでかつ画素間引きを行う場合でも、本実施形態の固体撮像素子１００は、垂直電荷転送路毎に同一色の信号電荷が転送されるため、混色による画質劣化を回避可能となる。
【００６６】
図８は、本発明の別実施形態に係る固体撮像素子の表面模式である。この固体撮像素子は、図２の実施形態と基本構成は同じであり、垂直電荷転送路の転送方向端部と水平電荷転送路（ＨＣＣＤ）との間に、ラインメモリ（ＬＭ）１１５を設けている点が異なる。
【００６７】
ラインメモリ１１５は、各垂直電荷転送路に対応したバッファ領域１１５ａを備え、対応する垂直電荷転送路から受け取った信号電荷を蓄積し、撮像素子駆動部２４からのラインメモリ制御パルスを受けて、信号電荷を水平電荷転送路１１２に転送する機能を有する。
【００６８】
この水平電荷転送路１１２の転送タイミングと、ラインメモリ１１５の制御パルスとのタイミングを調整することで、水平方向に並ぶ同色の信号電荷を水平電荷転送路１１２上で画素加算することができる。
【００６９】
また、本実施形態の固体撮像素子は、同一垂直電荷転送路で同一色の信号電荷しか転送しないため、垂直電荷転送路で転送されてきた信号電荷をラインメモリ１１５上で画素加算することができる。
【００７０】
例えば、図６の時刻ｔ４―４の状態で転送されてくる信号電荷の色は、垂直電荷転送路１０２で言えば、図９に示す様に、Ｒ１，Ｒ２，Ｒ１，Ｒ２，…と、第１画素群，第２画素群，第１画素群，第２画素群，…の同色の信号電荷の順番になっている。そこで、垂直転送されたとき、Ｒ１の信号電荷とＲ２の信号電荷とをラインメモリ１１５の対応するバッファ領域１１５ａで保持し、Ｒ１＋Ｒ２と画素加算した後に、水平電荷転送路１１２に転送する。
【００７１】
図９では、Ｒ１，Ｒ２，…の信号電荷のみ図示しているが、勿論の他の垂直電荷転送路上でも第１画素群，第２画素群，第１画素群，…と同色の信号電荷が並んでおり、これらをラインメモリ１１５の該当バッファ領域１１５ａ内で画素加算する。
【００７２】
図１０は、ラインメモリ１１５と水平電荷転送路１１２とのタイミング制御により水平電荷転送路１１２上で行う画素加算の説明図である。図２で説明したように、本実施形態の固体撮像素子では、各垂直電荷転送路によって夫々一色の信号電荷が転送されてきており、今、図１０の最上段に示したように、ＲＧＢＧＲＧＢＧ…という信号電荷が各垂直電荷転送路によって転送されてきている。左から順番に、各信号電荷に１（Ｒ），２（Ｇ），３（Ｂ），４（Ｇ），…，８（Ｇ），１（Ｒ），…の番号を付けて説明する。
【００７３】
各垂直電荷転送路から信号電荷がラインメモリ１１５に転送され、電荷１〜８が保持された状態で、先ず、電荷５（Ｒ），７（Ｂ）を水平電荷転送路１１３に転送する。そして、水平電荷転送路上で、電荷５（Ｒ）を水平方向に３段転送し、電荷７（Ｂ）を水平方向に１段転送する。
【００７４】
次に、ラインメモリ１１５上の電荷４（Ｇ）と８（Ｇ）を水平電荷転送路上に転送すると共に水平電荷転送路を水平方向に１段転送する。そして次に、ラインメモリ上の電荷１（Ｒ）を水平電荷転送路上に転送すると、丁度その位置には電荷５（Ｒ）が存在するため、電荷５（Ｒ）と電荷１（Ｒ）とが水平電荷転送路上で画素加算された状態となる。
【００７５】
次に水平電荷転送路を水平方向に１段転送し、ラインメモリ上の電荷２（Ｇ）と電荷６（Ｇ）を水平電荷転送路に転送する。このとき、電荷２，６の転送先には、既に電荷４（Ｇ），８（Ｇ）が存在するため、Ｇ電荷２とＧ電荷４とが画素加算され、Ｇ電荷８とＧ電荷６とが画素加算される。
【００７６】
次に水平電荷転送路を水平方向に１段転送し、ラインメモリ上に残っている電荷３（Ｂ）を水平電荷転送路に転送すると、転送先には電荷７（Ｂ）が存在するため、水平電荷転送路上でＢ電荷が画素加算される。
【００７７】
これにより、図１０の最上段に示した各色電荷のうち、水平方向に隣接する２画素の同色信号電荷が水平電荷転送路上で加算されたことになる。
【００７８】
図１１は、本発明の別実施形態に係る駆動タイミングを示すタイミングチャートである。本実施形態では、全画素の信号電荷を２フィールド読み出しする。第１画素群と第２画素群の露光時間が異なる場合もあれば、同一の場合もあることは前述の説明の通りである。
【００７９】
先ず第１フィールドで、第１画素群の電極Ｖ５，Ｖ１に読出パルスを印加して信号電荷を垂直電荷転送路に読み出し、転送し、固体撮像素子から出力させる。次の第２フィールドで、第２画素群の電極Ｖ７，Ｖ３に読出パルスを印加して信号電荷を垂直電荷転送路に読み出し、転送し、固体撮像素子から出力させる。
【００８０】
図１２は、静止画像撮像後の確認画面（プレビュー）表示を行う処理手順を示すフローチャートである。先ず、ＣＣＤ型固体撮像素子から出力される撮像画像信号をデジタル信号処理部２６に取り込み（ステップＳ１）、次に、これら撮像画像信号をメモリ３０に一時保存する（ステップＳ２）。次のステップＳ３では、同一露光時間のＲＧＢ３色の撮像画像信号が揃ったか否かを判定し、揃っていない場合には、揃うまで待機する。
【００８１】
同一露光時間のＲＧＢ３色の撮像画像信号が揃った場合にはステップＳ４に進み、プレビュー表示のための信号処理を行い、次のステップＳ５でプレビュー表示を表示部２８に行い、この処理を終了する。
【００８２】
本実施形態では、図１１に示す様に、第１フィールドで同一露光時間の第１画素群のＲＧＢ３色の撮像画像信号が揃うため、第１フィールドの撮像画像信号がデジタル信号処理部２６に取り込まれ、メモリ３０に格納された時点で、プレビュー表示がされ、ユーザは、静止画像撮影後に高速にプレビュー表示を見て画像の確認を行うことが可能となる。
【００８３】
図１３は、図１１，図１２で説明した実施形態の効果を従来技術と比較する図である。図１３（ａ）は、図２で説明した固体撮像素子と画素配列，フィルタ配列は同一であるが、読出電極部の位置が異なり、同一画素列の各画素は常に右側の垂直電荷転送路に信号電荷を読み出す構成になっている。この従来の固体撮像素子で第１群画素と第２群画素とから信号電荷を読み出す場合、混色を避けるために、図１３（ｂ）に示す様に、第１フィールドで電極Ｖ１，Ｖ７に読出パルスを印加し、第２フィールドで電極Ｖ３，Ｖ５に読出パルスを印加することになる。
【００８４】
この結果、第１フィールドでは第１画素群の一部（Ｒ１，Ｇｒ１）の撮像画像信号と、第２画素群の一部（Ｇｂ２，Ｂ２）の撮像画像信号が読み出され、第２フィールドでは第１画素群の残り（Ｇｂ１，Ｂ１）の撮像画像信号と、第２画素群の残り（Ｒ２，Ｇｒ２）の撮像画像信号が読み出されることになる。従って、プレビュー表示を行う必要条件である、同一露光時間のＲＧＢ３色の撮像画像信号が揃うのは、第２フィールドの終了を待たなければならない。これに対し、本実施形態の固体撮像素子では、第１フィールドの終了でプレビュー表示が可能となる。
【００８５】
図１４（ａ）は、本発明の別実施形態に係る駆動タイミングチャートであり、図１４（ｂ）は、比較のための従来の駆動タイミングチャートである。この例では、第１画素群の撮像画像信号のみを読み出し、第２画素群が検出した信号は利用しない場合の駆動方法である。
【００８６】
図１４（ｂ）に示す様に、従来構成の固体撮像素子（図１３（ａ））では、転送不良による混色を避けるために、第１画素群のうちＲ１画素，Ｇｒ１画素について第１フィールドで信号読出を行い、次の第２フィールドで、第１画素群の残りのＧｂ１画素，Ｂ１画素の信号読出を行う。しかも、各フィールドの後段において、信号読出／垂直転送を行っていない垂直電荷転送路の暗電流を高速掃出する必要が生じている。
【００８７】
これに対し、本実施形態の固体撮像素子では、１本の垂直電荷転送路に異なる色の信号電荷を読み出すことができない信号読出構造としているため、図１４（ａ）に示す様に、第１フィールドだけでＲＧＢ３色の撮像画像信号が得られ、第２フィールドでも再び第１画素群の全信号を読み出すことが可能となり、図１４（ｂ）に比較して２倍の速度で第１画素群の信号を読み出すことが可能となる。
【００８８】
図１５（ａ）は、本発明の別実施形態に係る駆動タイミングチャートであり、図１５（ｂ）は、比較のための従来の駆動タイミングチャートである。本実施形態では、第１画素群で長時間露光，第２画素群で短時間露光を行い、これを高速に読み出して広ダイナミックレンジの動画像を生成するときの駆動方法を示している。なお、広ダイナミックレンジの動画１フレーム分の読出部分しか図１５には記載していない。
【００８９】
電子シャッタパルスａ１の印加停止で露光が開始し、電極Ｖ３，Ｖ７に読出パルスｂ１を印加することで、全画素から半分の画素を間引いて第２画素群の信号電荷だけを垂直電荷転送路に読み出し、露光終了とする。そして、この第２画素群の信号電荷を、垂直電荷転送路に沿って転送させ（このとき、上述した加算転送を行う。）、水平電荷転送路を介してアンプから撮像画像信号として出力させる。
【００９０】
電極Ｖ１，Ｖ５に読出パルスｃ１を印加することで全画素から半分の画素を間引いて第１画素群の信号電荷だけを垂直電荷転送路に読み出し、第１画素群の露光が終了となる。そして、電子シャッタパルスｄ１を印加することで、半導体基板上の各画素の不要電荷を基板側に廃棄し、次フレームの動画データの取り込みに待機する。
【００９１】
第２画素群の信号電荷は、垂直電荷転送路に沿って転送され（このとき、上述した加算転送を行う。）、水平電荷転送路を介してアンプから撮像画像信号として出力させる。これにより、短時間露光による撮像画像信号と長時間露光による撮像画像信号が得られるため、広ダイナミックレンジの動画像を、しかも、全画素の検出信号を利用して得ることができる。
【００９２】
第２画素群の信号電荷の読み出しと転送を行うとき、従来は、図１３（ａ）を見て分かる通り、１本の垂直電荷転送路に、Ｇｂ２画素の信号電荷とＲ２画素の信号電荷の色違いの電荷が並び転送されるため、混色が起きてしまう。また、隣の垂直電荷転送路は、第１画素群用の垂直電荷転送路のため、この第２画素群の信号電荷の転送時には使用されていないため、暗電流が入り込んでいる。
【００９３】
このため、図１５（ｂ）に示す様に、信号電荷の転送後に、暗電流掃出のための高速掃出駆動ｅ１が必要となる。
【００９４】
これに対し、本実施形態の固体撮像素子では、各画素からどの様な順序で信号電荷が読み出され様と、１本の垂直電荷転送路上には物理的に同色の信号電荷しか読み出されない構造のため、混色は起きず、これに起因する画質劣化は抑制され目立たない。
【００９５】
また、第２画素群の信号電荷の垂直転送時には、全ての垂直電荷転送路で信号電荷の転送が行われるため、暗電流掃出のための高速駆動ｅ１は不要となり、従来の比較して高速読出が可能となり、フレームレートが向上する。
【００９６】
なお、図１５（ａ）は、短時間露光と長時間露光の各撮像画像信号を得て広ダイナミックレンジの動画像を生成する例であるが、実施形態で述べた固体撮像素子は、第１画素群，第２画素群の一方だけでＲＧＢ３色の撮像画像信号が得られカラー画像を再生できるため、図１１に示す様に、フィールド毎に第１画素群，第２画素群の各検出信号を交互に読み出して動画像を再生し、第１画素群の検出信号を読み出している最中に第２画素群の露光を行い、第２画素群の検出信号を読み出している最中に第１画素群の露光を行う様にすれば、高フレームレートでの動画再生が可能となる。
【００９７】
図１６は、本発明の別実施形態に係るＣＣＤ型固体撮像素子の画素配列，フィルタ配列を示す表面模式図である。勿論、図示はしていないが、水平電荷転送路は設けられており、ラインメモリはあってもなくても良いが、画素加算を固体撮像素子内で行うのであれば、ラインメモリを設けた方が画素加算制御が容易になる。
【００９８】
図示する固体撮像素子は、各画素１０１が正方格子状に配列されており、各画素列に沿って垂直電荷転送路１０２，１０３，１０４，１０５が設けられている。各画素に重ねて設けられる原色系カラーフィルタとして、２行の画素行上に同配列のＧＲＧＢＧＲＧＢ…が積層され、次の２行にＲＧＢＧＲＧＢＧ…が積層され、次の２行にＧＲＧＢＧＲＧＢ…が積層され、次の２行にＲＧＢＧＲＧＢＧ…が積層され、以後同様に繰り返されている。
【００９９】
この結果、垂直方向に連続する同色２画素づつを単位として原色系ＲＧＢのカラーフィルタ配列がモザイク状となり、例えばＧ専用の垂直電荷転送路には、右側の画素列中の連続する２つのＧ画素と、左側の画素列中の連続する２つのＧ画素とが交互に接続される。他色専用の垂直電荷転送路でも同様となる。
【０１００】
同色配列となる各２行のうちの上行を第１画素群とし、下行を第２画素群としているため、図１６では、第１画素群のカラーフィルタ色ＲＧＢに「１」の符号を付けてＲ１，Ｇ１，Ｂ１とし、第２画素群のカラーフィルタ色に「２」の符号を付けてＲ２，Ｇ２，Ｂ２としている。
【０１０１】
図示する例の垂直電荷転送路１０２はＲ信号転送専用の垂直電荷転送路であり、両脇に並ぶ画素列のうち、Ｒフィルタを搭載した画素１０１と垂直電荷転送路１０２との間を読出電極部１１７で接続し、他色フィルタを搭載した画素１０１と垂直電荷転送路１０２との間には読出電極部を設けずに物理的に遮断している。
【０１０２】
垂直電荷転送路１０３はＧ信号転送専用の垂直電荷転送路であり、両脇に並ぶ画素列のうち、Ｇフィルタを搭載した画素１０１と垂直電荷転送路１０２との間を読出電極部１１７で接続し、他色フィルタを搭載した画素１０１と垂直電荷転送路１０２との間には読出電極部を設けずに物理的に遮断している。
【０１０３】
垂直電荷転送路１０４はＢ信号転送専用の垂直電荷転送路であり、両脇に並ぶ画素列のうち、Ｂフィルタを搭載した画素１０１と垂直電荷転送路１０２との間を読出電極部１１７で接続し、他色フィルタを搭載した画素１０１と垂直電荷転送路１０２との間には読出電極部を設けずに物理的に遮断している。
【０１０４】
この様な構成により、垂直電荷転送路は、Ｒ専用，Ｇ専用，Ｂ専用，Ｇ専用，Ｒ専用，…と並び、図２，図８の実施形態と同様の並びとなり、上述した図２，図８の固体撮像素子で説明した駆動方法と同様な方法で駆動することが可能となる。
【０１０５】
なお、原色系カラーフィルタＲＧＢを使用した実施形態について説明したが、補色系３色のシアン，マゼンタ，イエローを用いたＣＣＤ型固体撮像素子にも上述した各実施形態を適用可能であることはいうまでもない。
【０１０６】
以上述べた様に、実施形態による固体撮像素子は、半導体基板表面部に二次元アレイ状に配列形成された複数の画素と、前記複数の画素の各々の上に１色づつ配置され全体としてモザイク状に配列された複数色でなるカラーフィルタと、前記画素で構成されるいずれか２列の画素列の間に１本づつ形成され各々が前記複数色のうちのいずれか１色の信号電荷だけを転送する複数の垂直電荷転送路と、該垂直電荷転送路と該垂直電荷転送路の両脇に並ぶ画素とを接続する読出電極部であって該垂直電荷転送路が転送する前記１色と同色のカラーフィルタが設けられた前記画素と該垂直電荷転送路との間にのみ設けられる読出電極部とを備えることを特徴とする。
【０１０７】
また、実施形態の固体撮像素子は、前記複数の垂直電荷転送路の転送方向端部に沿って設けられる水平電荷転送路と前記垂直電荷転送路との間に設けられ、前記各垂直電荷転送路によって転送されてきた信号電荷を一時保持するバッファ領域を各垂直電荷転送路対応に有するラインメモリを備えることを特徴とする。
【０１０８】
また、実施形態の固体撮像素子の前記複数の画素は、前記半導体基板表面部に二次元アレイ状に配列形成された複数の画素でなる第１画素群と、該第１画素群に重なる領域の前記半導体基板表面部に二次元アレイ状に配列形成された複数の画素で構成され該第１画素群の各々の画素に対してずれた位置に画素を有する第２画素群とに分けられ、前記第１画素群が検出した信号電荷と前記第２画素群が検出した信号電荷とを別々に前記垂直電荷転送路に読み出す電極配線構造が設けられることを特徴とする。
【０１０９】
また、実施形態の固体撮像素子の前記第１画素群に設けられる前記カラーフィルタの配列と、前記第２画素群に設けられる前記カラーフィルタの配列が同一であることを特徴とする。
【０１１０】
また、実施形態の固体撮像素子の前記第１画素群は前記画素が正方格子配列されて該正方格子配列上に前記カラーフィルタがベイヤ配列され、該第１画素群と垂直方向，水平方向ともに１／２画素ピッチだけずらして設けられた前記第２画素群にも前記カラーフィルタがベイヤ配列されることを特徴とする。
【０１１１】
また、実施形態の固体撮像素子の駆動方法は、前記第１画素群と前記第２画素群の夫々の露光時間を別々に制御することを特徴とする。
【０１１２】
また、実施形態の固体撮像素子の駆動方法は、電子シャッタパルス印加停止時点を露光開始時点とし、前記第１画素群と前記第２画素群のそれぞれの信号読出タイミングを変えることで露光終了時点を別々に制御することを特徴とする。
【０１１３】
また、実施形態の固体撮像素子の駆動方法は、前記第１画素群の各画素が検出した信号を第１フィールドで読み出し、前記第２画素群の各画素が検出した信号を第２フィールドで読み出すことを特徴とする。
【０１１４】
また、実施形態の固体撮像素子の駆動方法は、前記第１画素群，第２画素群のいずれか一方の画素群の各画素が検出した信号だけを読み出し他方の画素群の各画素が検出した信号は廃棄することを特徴とする。
【０１１５】
また、実施形態の固体撮像素子の駆動方法は、前記第１画素群，第２画素群のいずれか一方の画素群の各画素が検出した信号を読み出した後に他方の画素群の各画素が検出した信号を読み出すことを特徴とする。
【０１１６】
また、実施形態の撮像装置は、上記記載の固体撮像素子を搭載したことを特徴とする。
【０１１７】
また、実施形態の撮像装置は、上記記載の固体撮像素子と上記記載の駆動方法を実行する制御手段とを備えることを特徴とする。
【０１１８】
また、実施形態の撮像装置は、上記記載の固体撮像素子と、上記記載の駆動方法を実行する制御手段と、前記固体撮像素子の前記第１画素群，第２画素群から読み出された露光時間の異なる信号を合成して広ダイナミックレンジの撮像画像を合成する信号処理手段とを備えることを特徴とする。
【０１１９】
以上述べた様に、本発明の実施形態によれば、同一垂直電荷転送路には同一色の信号電荷しか転送されないため、混色がなく高画質の被写体画像を撮像できる効果を奏する。
【０１２０】
また、第１画素群，第２画素群を分けて夫々を別々に制御できる構成にしたため、高精細画像，高感度画像，広ダイナミックレンジ画像，高フレームレートでの動画像を用途に応じて撮像可能となる。
【産業上の利用可能性】
【０１２１】
本発明に係るＣＣＤ型固体撮像素子は、垂直転送時の混色が構造的になくなるため、高品質な被写体画像を撮像することが可能となり、デジタルスチルカメラ，デジタルビデオカメラ，カメラ付携帯電話機，カメラ付電子装置，監視カメラ，内視鏡，車載カメラ等に適用すると有用である。
【符号の説明】
【０１２２】
２４  駆動部（撮像素子駆動手段を含む）
２６  デジタル信号処理部
２９  システム制御部
１００  ＣＣＤ型固体撮像素子
１０１  画素
１０２，１０３，１０４，１０５  垂直電荷転送路（ＶＣＣＤ）
１１２  水平電荷転送路（ＨＣＣＤ）
１１５  ラインメモリ
１１７  読出電極部
Ｒ１，Ｒ２  赤色フィルタ
Ｇ１，Ｇ２，Ｇｒ１，Ｇｒ２，Ｇｂ１，Ｇｂ２  緑色フィルタ
Ｂ１，Ｂ２  青色フィルタ
Ｒ１，Ｇｒ１，Ｂ１，Ｇｂ１，Ｇ１  第１画素群に積層されたフィルタ
Ｒ２，Ｇｒ２，Ｂ２，Ｇｂ２，Ｇ２  第２画素群に積層されたフィルタ
【図１】
2011061684.tif 000003
【図２】
2011061684.tif 000004
【図３】
2011061684.tif 000005
【図４】
2011061684.tif 000006
【図５】
2011061684.tif 000007
【図６】
2011061684.tif 000008
【図７】
2011061684.tif 000009
【図８】
2011061684.tif 000010
【図９】
2011061684.tif 000011
【図１０】
2011061684.tif 000012
【図１１】
2011061684.tif 000013
【図１２】
2011061684.tif 000014
【図１３】
2011061684.tif 000015
【図１４】
2011061684.tif 000016
【図１５】
2011061684.tif 000017
【図１６】
2011061684.tif 000018